(57)【要約】【課題】便蓋を閉め忘れた場合でも、自動的に便蓋を閉止して便座からの放熱を防ぐことのできる自動便蓋閉止装置を提供する。【解決手段】自動的に便蓋Ｆを閉止させる装置であって、ロータンクＬの水洗レバーＳに取付けられ、該水洗レバーＳの作動を感知して発信する水洗レバー作動発信手段１と、ロータンクＬの前面に設けられ、箱体Ｂに収められるとともに上記水洗レバー作動発信手段１からの信号を受信して便蓋Ｆを背後から閉止するように上記箱体Ｂから突出する押し棒２２、３２を備えた便蓋閉止手段２、３とからなる。【選択図】図１
2004129835.tif 000002
【特許請求の範囲】
【請求項１】
自動的に便蓋を閉止させる装置であって、ロータンクの水洗レバーに取付けられ、該水洗レバーの作動を感知して発信する水洗レバー作動発信手段と、ロータンクの前面に設けられ、箱体に収められるとともに上記水洗レバー作動発信手段からの信号を受信して便蓋を背後から閉止するように上記箱体から突出する押し棒を備えた便蓋閉止手段と、からなる自動便蓋閉止装置。
【請求項２】
上記便蓋閉止手段が、タイマを備えた制御部の指令により、所定時間、電磁力によって突出するようにされた押し棒を備えたものである請求項１に記載の自動便蓋閉止装置。
【請求項３】
上記便蓋閉止手段が、上記箱体背板内側に固定されたバネによって付勢された押し棒であって、この押し棒のバネ側部分が上記箱体背板内側に固定された鞘部に遊嵌合し、鞘部と遊嵌合しない上記押し棒の略中間外周部には係合凹部が周回しており、上記係合凹部は、制御部からの指令によって作動する係止手段によって着脱自在に係合される請求項１に記載の自動便蓋閉止装置。
【請求項４】
上記押し棒が棒前部と棒本体とから構成されるとともに、該棒前部と棒本体とが伸縮自在に螺合され、上記係合凹部が棒本体の外周部に設けられた請求項３に記載の自動便蓋閉止装置。
【請求項５】
上記バネの反発力が、上記箱体背板内側に固定されたバネの固定端の位置を上記箱体背板に螺設されたネジで前後に移動させることにより、調節可能とされた請求項３に記載の自動便蓋閉止装置。
【発明の詳細な説明】
【０００１】
【発明の属する技術分野】
本発明は、便蓋に関する。さらに詳しくは、暖房機能を有する便座に用いられる便蓋に関する。
【０００２】
【従来の技術】
従来、暖房機能を有する暖房便座は、便器を使用するとき以外も常に通電、加熱されており、とくに、便蓋を閉め忘れると、便座からの放熱が大きいため、エネルギーが無駄に消費されることとなる。そのため、省エネルギーの観点から、便蓋を閉め忘れても、自動的に便蓋を閉止するための各種装置が提案されている。（例えば、特許文献１、２、３）
【０００３】
【特許文献１】
特開平１１−７６１０５号公報（第１−３頁、第１図、第２図、第３図）
【特許文献２】
特開平１１−９９０９２号公報（第２−３頁、第１図、第２図）
【特許文献３】
特開２０００−４１８９６号公報（第２−３頁、第１図、第２図、第３図）
【０００４】
【発明が解決しようとする課題】
しかしながら、上記各先行技術に記載の便蓋閉止手段は、モーター、減速ギア、駆動ギア、従動ギア等の駆動装置が必要で、構造が複雑であり、コストも高いものとなる。また、これらの装置は、最初から便器自体に組み込まれているため、既設の便器には適用できないという問題がある。そこで、本発明は、既設の便器にも取付け可能とされるともに、便蓋を閉め忘れた場合でも、自動的に便蓋を閉止して便座からの放熱を防ぎ、省エネルギーを図ることのできる自動便蓋閉止装置を提供することをその課題とする。
【０００５】
【課題を解決するための手段】
本発明は、上記課題を解決するために考え出されたものであって、つぎのような技術的手段を講じている。すなわち、本発明によれば、自動的に便蓋を閉止させる装置であって、ロータンクの水洗レバーに取付けられ、該水洗レバーの作動を感知して発信する水洗レバー作動発信手段と、ロータンクの前面に設けられ、箱体に収められるとともに上記水洗レバー作動発信手段からの信号を受信して便蓋を背後から閉止するように上記箱体から突出する押し棒を備えた便蓋閉止手段と、からなる自動便蓋閉止装置が提供される。
【０００６】
本発明の自動便蓋閉止装置は、上記のように構成されているため、構造が簡単であり、既設の便器のロータンクに容易に後から取付けることができる。その結果、低コストで、便蓋の閉め忘れによって生じるエネルギーの無駄な消費を防ぐことができる。
【０００７】
上記便蓋閉止手段は、タイマを備えた制御部の指令により、所定時間、電磁力によって突出するようにされた押し棒を備える。上記便蓋閉止手段として、例えば、制御部によって制御されるプランジャー型電磁石を用いれば、たとえ、便蓋を閉め忘れても、水洗レバーの操作と上記便蓋閉止手段とを連動させることにより、自動的に便蓋が閉止し、便座からの放熱を防ぐことができる。
【０００８】
さらに、上記便蓋閉止手段は、上記箱体背板内側に固定されたバネによって付勢された押し棒であって、この押し棒のバネ側部分が上記箱体背板内側に固定された鞘部に遊嵌合し、鞘部と遊嵌合しない上記押し棒の略中間外周部には係合凹部が周回しており、上記係合凹部は、制御部からの指令によって作動する係止手段によって着脱自在に係合される。このようにすることによって、バネの反発力を利用した構造の簡単な装置を用いて、たとえ、便蓋を閉め忘れても、水洗レバーの操作と上記便蓋閉止手段とを連動させることにより、自動的に便蓋が閉止し、便座からの放熱を防ぐことができる。
【０００９】
上記押し棒が棒前部と棒本体とから構成されるとともに、該棒前部と棒本体とが伸縮自在に螺合され、上記係合凹部が棒本体の外周部に設けられることが好ましい。このようにすることによって、押し棒の長さを調節することが可能となり、種々の形状の便器、便座に適用することができる。また、上記バネの反発力が、上記箱体背板内側に固定されたバネの固定端の位置を上記箱体背板に螺設されたネジで前後に移動させることにより、調節可能とされることが好ましい。このようにすることによって、バネの反発力を簡単に調節することができ、その結果、種々の重さの便蓋にも対応することができる。
【００１０】
【発明の実施の形態】
以下、本発明の好ましい実施の形態について、図面を参照してより詳細に説明する。図１は、水洗レバー作動発信手段１と、便蓋閉止手段２、３とからなる本発明にかかる自動便蓋閉止装置の概略構成を示す斜視図である。図１において、水洗レバー作動発信手段１は、水洗レバーＳに取付けられ、水洗レバーＳの作動を感知して水洗レバー作動を発信し、便蓋閉止手段２、３は、上記水洗レバー作動発信手段１からの信号を受信して、電磁力または、バネ３４の反発力により、便蓋Ｆを背後から閉止するように突出する押し棒２２、３２を備える。図１からよくわかるように、水洗レバー作動発信手段１には、無線信号を発信する信号発信部１１が設けられており、便蓋閉止手段２、３には、上記信号発信部１１からの信号を受信する受信部２１、３１が設けられている。
【００１１】
【第１実施形態】
まず、プランジャー型電磁石を用いた場合の、本発明の第１実施形態にかかる自動便蓋閉止装置の動作について、図面を参照して説明する。図２は、便器を使用中、または使用直後の便蓋Ｆを上げた状態における便蓋閉止手段２の概略構成を示す側断面図である。図２からよくわかるように、上記便蓋閉止手段２には、上記信号受信部２１の受信信号にしたがって、押し棒２２の作動を制御する制御部２３が設けられ、この制御部２３はタイマ２３１を備えている。なお、押し棒２２の先端には、便蓋Ｆを上げたとき、その衝撃を緩和するためのにクッション材２２２が備えられている。また、箱体Ｂには、掛止部２９が設けられ、この掛止部２９を吸盤Ｋに掛止させることにより、便蓋閉止手段２はロータンクＬに保持される。
【００１２】
便器使用後に水を流すため、水洗レバーＳを操作すると、図３に示すように、水洗レバー作動発信手段１が、信号発信部１１から水洗レバー作動信号を発信し、この信号は、便蓋閉止手段２に設けられた信号受信部２１によって受信される。信号受信と同時に制御部２３は、押し棒２２を作動させるための電磁石２２１に通電を指令し、タイマ２３１で設定された時間、通電によって生じた電磁力が、便蓋Ｆを閉止するように押し棒２２を突出させる。上記、タイマ２３１に設定する時間は任意であり、例えば、数秒間とすることができる。このように、押し棒２２が突出して便蓋Ｆを便座の上に戻すため、たとえ、便蓋Ｆの閉止を忘れても、水洗レバーＳの操作により、自動的に便蓋Ｆが閉止し、便座からの放熱を防ぐことができる。なお、タイマ２３１の設定時間経過後は、公知の復帰手段により、押し棒２２は図２に示す状態に戻る。また、便蓋閉止手段２に、さらに便蓋Ｆの開閉を検知するセンサーを設け、水洗レバーＳの操作がなく、また、便蓋Ｆを閉め忘れても、一定時間経過すれば、自動的に電磁石２２１に通電する回路を設ける等、種々設計変更可能である。
【００１３】
【第２実施形態】
図４は、バネ３４の反発力により押し棒３２を作動させる本発明の第２実施形態にかかる便蓋閉止手段３の概略構成を示す側断面図である。図４において、便蓋閉止手段３には、水洗レバー作動発信手段１が信号発信部１１から発信する水洗レバー作動信号を受信する信号受信部３１と、この信号受信部３１の受信信号にしたがって、押し棒３２の作動を制御する制御部３３が設けられている。図４からよくわかるように、押し棒３２は棒前部３２１と棒本体３２２から構成され、押し棒３２を付勢するバネ３４は、箱体Ｂの背板内側に固定され、同じく箱体Ｂの背板内側に固定された鞘部３５に内設されている。バネ３４は、その固定端３４１を箱体Ｂの背板に螺設されたネジ３６のネジ込み度を変えることによって前後に移動させ、反発力を調節することができる。また、棒本体３２２には雌ネジが切られており、棒前部３２１には雄ネジが切られているため、棒前部３２１を棒本体３２２にネジ込み、あるいは逆に回転させることによって押し棒３２全体の長さを調節することができる。
【００１４】
つぎに、上記実施形態にかかる便蓋閉止手段３の動作について説明する。図４において、便器を使用するとき、押し棒３２は、便蓋Ｆの自重または、便蓋Ｆを上げたときの力によって、バネ３４の反発力に抗して鞘部３５に押し込まれる。このとき、係止手段３７は、回動軸３７３によって回動自在に軸支されているため、矢印▲１▼の方向に付勢された（付勢手段図示せず）爪部３７１は、棒本体３２２の外周部に設けられた係合凹部３２３にしっかりと係合する。一方、係止手段３７の他端部３７２は、制御部３３の指令によって作動する作動部３８と協働して係止手段３７を回動軸３７３を中心に上下に回動させ、上記係合凹部３２３と、爪部３７１とを着脱自在に係合させる。
【００１５】
便器使用後に水を流すため、水洗レバーＳを操作すると、図５に示すように、水洗レバーＳの作動を感知した水洗レバー作動発信手段１は、信号発信部１１から水洗レバー作動信号を発信し、この信号は、便蓋閉止手段３に設けられた信号受信部３１によって受信される。信号受信と同時に制御部３３は、作動部３８を下方に押し下げて係止手段３７を回動軸３７３を中心にして▲２▼の方向に回動させるように指令し、かくして係合凹部３２３と爪部３７１との係合が解除される。上記係合が解除されると、バネ３４によって付勢されている押し棒３２は箱体Ｂから突出し、便蓋Ｆを押して便座の上に戻し、便蓋Ｆは自動的に閉止される。
【００１６】
図６（ａ）、（ｂ）は、本発明の第２実施形態にかかるバネ３４の反発力を調節する状態を示す部分側断面図である。前記したように本実施形態においては、バネ３４の反発力は、箱体Ｂの背板に螺設されたネジ３６のネジ込み度を変えることによって、調節することが可能である。図６（ａ）は、バネ３４の反発力を弱くした状態であり、図６（ｂ）は、ネジ３６をネジ込んでバネ３４の反発力を強くした状態である。このように押し棒３２の全体の長さを調節することが可能で、また、バネ３４の反発力も調節可能であるため、本実施形態の自動便蓋閉止装置は種々のタイプの便器に適用することが可能である。
【００１７】
本実施形態においては、次の便器使用時に、便蓋Ｆが上げられるため、上記したように、押し棒３２がバネ３４の反発力に抗して押し込まれ、棒本体３２２の外周部に設けられた係合凹部３２３と、爪部３７１とが係合し、再び、図４に示す状態となる。なお、棒前部３２１の先端には、便蓋Ｆを上げたとき、その衝撃を緩和するためのクッション材３２４が備えられている。また、箱体Ｂには、掛止部３９が設けられ、この掛止部３９を吸盤Ｋに掛止させることにより、便蓋閉止手段３はロータンクＬに保持される。また、便蓋閉止手段３にさらに便蓋Ｆの開閉を検知するセンサーを設け、水洗レバーＳの操作がなく、また、便蓋Ｆを閉め忘れても、一定時間経過すれば、自動的に係合凹部３２３と爪部３７１との係合を解除し、便蓋Ｆが閉止するように作動する回路を設ける等、種々設計変更可能である。
【００１８】
図７（ａ）は、上記２つの実施形態において、便器使用中、または使用後に便蓋Ｆを上げ、水洗レバーＳを作動させる前の状態を示す側面図である。また、図７（ｂ）は、水洗レバーＳの作動により、水洗レバー作動発信手段１から水洗レバー作動信号を発信させ、ロータンクＬの前面に設けられた便蓋閉止手段２、３が上記信号を受信し、電磁力または、バネ３４の反発力により、押し棒２２、３２が突出して、便蓋Ｆを背後から閉止する状態を示す側面図である。
【００１９】
【発明の効果】
以上述べたように、本発明の請求項１に記載の発明は、自動的に便蓋Ｆを閉止させる装置であって、ロータンクＬの水洗レバーＳに取付けられ、該水洗レバーＳの作動を感知して発信する水洗レバー作動発信手段１と、ロータンクＬの前面に設けられ、箱体Ｂに収められるとともに上記水洗レバー作動発信手段１からの信号を受信して便蓋Ｆを背後から閉止するように上記箱体Ｂから突出する押し棒２２、３２を備えた便蓋閉止手段２、３とからなる。上記のように構成されているため、構造が簡単であるとともに、既設の便器のロータンクＬに容易に後から取付けることができる。その結果、低コストで、便蓋Ｆの閉め忘れによって生じるエネルギーの無駄な消費を防ぐことができる。
【００２０】
請求項２に記載の発明によれば、上記便蓋閉止手段２は、タイマ２３１を備えた制御部２３により、所定時間通電の間、電磁力によって突出するようにされた押し棒２２を備える。このようにすることにより、上記便蓋閉止手段２として、例えば、制御部２３によって制御されるプランジャー型電磁石を用いれば、請求項１に記載の発明の効果に加え、便蓋Ｆを閉め忘れても、水洗レバーＳの操作と上記便蓋閉止手段２とを連動させ、簡単な装置で自動的に便蓋Ｆが閉止し、便座からの放熱を防ぐことができる。
【００２１】
請求項３に記載の発明によれば、上記便蓋閉止手段３は、上記箱体Ｂ背板内側に固定されたバネ３４によって付勢された押し棒３２であって、この押し棒３２のバネ３４側部分が上記箱体背板内側に固定された鞘部３５に遊嵌合し、鞘部３５と遊嵌合しない上記押し棒３２の略中間外周部には係合凹部３２３が周回しており、上記係合凹部３２３は、制御部３３からの指令によって作動する係止手段３７によって着脱自在に係合される。このようにすることによって、請求項１に記載の発明の効果に加え、バネ３４の反発力を利用した構造の簡単な装置を用いて、たとえ、便蓋Ｆを閉め忘れても、水洗レバーＳの操作と上記便蓋閉止手段３とを連動させ、自動的に便蓋Ｆが閉止し、便座からの放熱を防ぐことができる。
【００２２】
請求項４に記載の発明によれば、上記押し棒３２が棒前部３２１を棒本体３２２に伸縮自在に螺合して構成されるとともに、上記係合凹部３２３が棒本体３２２の外周部に設けられることが好ましい。このように構成することによって、請求項３に記載の発明の効果に加え、押し棒３２の長さを調節することが可能となり、種々の形状の便器、便座に適用することができる。
【００２３】
請求項５に記載の発明によれば、バネ３４の一端を固定する固定端３４１が上記箱体Ｂ背板に螺設されたネジ３６で調節可能とされることが好ましい。上記ネジ３６のネジ込み度を調節することによって、請求項３に記載の発明の効果に加え、バネ３４の反発力を調節することができ、その結果、種々の重さの便蓋Ｆにも対応することができる。
【図面の簡単な説明】
【図１】本発明にかかる自動便蓋閉止装置の概略構成を示す斜視図である。
【図２】第１実施形態において便蓋が開いた状態の概略構成を示す側断面図である。
【図３】第１実施形態において便蓋が自動的に閉止する状態を示す側断面図である。
【図４】第２実施形態において便蓋が開いた状態の概略構成を示す側断面図である。
【図５】第２実施形態において便蓋が自動的に閉止する状態を示す側断面図である。
【図６】（ａ）バネ３４の反発力を弱くした状態を示す部分側断面図である。（ｂ）バネ３４の反発力を強くした状態を示す部分側断面図である。
【図７】（ａ）上記２つの実施形態において、水洗レバーを作動させる前の状態を示す側面図である。
（ｂ）上記２つの実施形態において便蓋が自動的に閉止する状態を示す側面図である。
【符号の説明】
１　　　　　　水洗レバー作動発信手段
１１　　　　　信号発信部
２　　　　　　便蓋閉止手段
２１　　　　　信号受信部
２２　　　　　押し棒
２２１　　　　電磁石
２２２　　　　クッション材
２３　　　　　制御部
２３１　　　　タイマ
２９　　　　　掛止部
３　　　　　　便蓋閉止手段
３１　　　　　信号受信部
３２　　　　　押し棒
３２１　　　　棒前部
３２２　　　　棒本体
３２３　　　　係合凹部
３２４　　　　クッション材
３３　　　　　制御部
３４　　　　　バネ
３４１　　　　バネの固定端
３５　　　　　鞘部
３６　　　　　バネ調節ネジ
３７　　　　　係止手段
３７１　　　　爪部
３７２　　　　端部
３７３　　　　回動軸
３８　　　　　作動部
３９　　　　　掛止部
Ｂ　　　　　　箱体
Ｓ　　　　　　水洗レバー
Ｋ　　　　　　吸盤
Ｌ　　　　　　ロータンク
Ｆ　　　　　　便蓋
【図１】
2004129835.tif 000003
【図２】
2004129835.tif 000004
【図３】
2004129835.tif 000005
【図４】
2004129835.tif 000006
【図５】
2004129835.tif 000007
【図６】
2004129835.tif 000008
【図７】
2004129835.tif 000009